(57)【特許請求の範囲】
【請求項１】
所定の変調方式で変調された信号を凸凹のピットで記録した光ディスク上に、反射膜を部分的に除去した第１の領域と、所定の変調方式を満足するピットとは異なるピットを記録した第２の領域とを有し、
上記第２の領域に記録されるピットは、上記変調方式で決まる最長のピット長さよりも長く、かつピットの中央部のエッジが端部のエッジに比べてゆるやかに傾斜していることを特徴とする光ディスク。
【請求項２】
所定の変調方式で変調された信号を凸凹のピットで記録した光ディスク上に、反射膜を部分的に除去した第１の領域と、所定の変調方式を満足するピットとは異なるピットを記録した第２の領域と、上記第１の領域のディスク上の位置情報が記録された第１の領域の位置情報記録領域と、上記第２の領域のディスク上の位置情報が記録された第２の領域の位置情報記録領域とを有し、
上記第２の領域に記録されるピットは、上記変調方式で決まる最長のピット長さよりも長く、かつピットの中央部のエッジが端部のエッジに比べてゆるやかに傾斜していることを特徴とする光ディスク。
【請求項３】
所定の変調方式で変調された信号を凸凹のピットで記録した光ディスク上に、反射膜を部分的に除去した第１の領域と、所定の変調方式を満足するピットとは異なるピットを記録した第２の領域と、上記第１の領域のディスク上の位置情報が記録された第１の領域の位置情報記録領域と、上記第２の領域のディスク上の位置情報が記録された第２の領域の位置情報記録領域とを有する光ディスクに記録された情報を再生する光ディスク再生方法であって、
上記第１の領域の位置情報記録領域に記録された第１の領域のディスク上の位置情報に基づいて第１の領域を再生して第１の領域の再生信号を出力するステップと、
上記第２の領域の位置情報記録領域に記録された第２の領域のディスク上の位置情報に基づいて第２の領域を再生して第２の領域の再生信号を出力するステップと、
上記第１の領域の再生信号に基づいて、反射膜が部分的に除去された領域であることを検出するステップと、
上記第２の領域の再生信号に基づいて、所定の変調方式を満足するピットとは異なるピットであることを検出するステップと、
上記２つの検出するステップの検出結果に基づいて、上記光ディスクの再生の可否を判断するステップとを含み、
上記第１の領域を再生するステップは、デフォーカス状態で上記第１の領域を再生することを特徴とする光ディスク再生方法。
【請求項４】
所定の変調方式で変調された信号を凸凹のピットで記録した光ディスク上に、反射膜を部分的に除去した第１の領域と、所定の変調方式を満足するピットとは異なるピットを記録した第２の領域と、上記第１の領域のディスク上の位置情報が記録された第１の領域の位置情報記録領域と、上記第２の領域のディスク上の位置情報が記録された第２の領域の位置情報記録領域とを有する光ディスクに記録された情報を再生する光ディスク再生方法であって、
上記第１の領域の位置情報記録領域に記録された第１の領域のディスク上の位置情報に基づいて第１の領域を再生して第１の領域の再生信号を出力するステップと、
上記第２の領域の位置情報記録領域に記録された第２の領域のディスク上の位置情報に基づいて第２の領域を再生して第２の領域の再生信号を出力するステップと、
上記第１の領域の再生信号に基づいて、反射膜が部分的に除去された領域であることを検出するステップと、
上記第２の領域の再生信号に基づいて、所定の変調方式を満足するピットとは異なるピットであることを検出するステップと、
上記２つの検出するステップの検出結果に基づいて、上記光ディスクの再生の可否を判断するステップとを含み、
上記第１の領域を再生するステップは、隣接する２つのトラックの間の領域をトラッキングすることにより上記第１の領域を再生することを特徴とする光ディスク再生方法。
【請求項５】
所定の変調方式で変調された信号を凸凹のピットで記録した光ディスク上に、反射膜を部分的に除去した第１の領域と、所定の変調方式を満足するピットとは異なるピットを記録した第２の領域とを有する光ディスクに記録された情報を再生する光ディスク再生方法であって、
上記第１の領域の再生信号に基づいて反射膜が部分的に除去された領域であることを検出するステップと、
上記第２の領域の再生信号から所定の変調方式を満足するピットとは異なるピットであることを検出するステップと、
上記２つの検出するステップの検出結果に基づいて、上記光ディスクの再生の可否を判断するステップとを含み、
上記反射膜が部分的に除去された領域であることを検出するステップは、隣接する２つのトラックにおいて反射膜が除去されたことを検出することを特徴とする光ディスク再生方法。
【請求項６】
所定の変調方式で変調された信号を凸凹のピットで記録した光ディスク上に、反射膜を部分的に除去した第１の領域と、所定の変調方式を満足するピットとは異なるピットを記録した第２の領域と、上記第１の領域のディスク上の位置情報が記録された第１の領域の位置情報記録領域と、上記第２の領域のディスク上の位置情報が記録された第２の領域の位置情報記録領域とを有する光ディスクに記録された情報を再生する光ディスク再生方法であって、
上記第１の領域の位置情報記録領域に記録された第１の領域のディスク上の位置情報に基づいて第１の領域を再生して第１の領域の再生信号を出力するステップと、
上記第２の領域の位置情報記録領域に記録された第２の領域のディスク上の位置情報に基づいて第２の領域を再生して第２の領域の再生信号を出力するステップと、
上記第１の領域の再生信号に基づいて、反射膜が部分的に除去された領域であることを検出するステップと、
上記第２の領域の再生信号に基づいて、所定の変調方式を満足するピットとは異なるピットであることを検出するステップと、
上記２つの検出するステップの検出結果に基づいて、上記光ディスクの再生の可否を判断するステップとを含み、
上記反射膜が部分的に除去された領域であることを検出するステップは、隣接する２つのトラックにおいて反射膜が除去されたことを検出することを特徴とする光ディスク再生方法。
【請求項７】
所定の変調方式で変調された信号を凸凹のピットで記録した光ディスク上に、反射膜を部分的に除去した第１の領域と、所定の変調方式を満足するピットとは異なるピットを記録した第２の領域とを有する光ディスクに記録された情報を再生する光ディスク再生装置であって、
上記第１の領域を再生したときの光ディスクからの再生信号に基づいて、上記第１の領域を検出して第１の検出信号を出力する第１の領域検出回路と、
上記第２の領域を再生したときの光ディスクからの再生信号に基づいて、上記第２の領域を検出して第２の検出信号を出力する第２の領域検出回路と、
上記第１と第２の検出信号に基づいて、上記光ディスクの再生の可否を判断する再生可否判断手段とを備え、
上記第２の領域検出回路は、
上記第２の領域を再生したときの光ディスクからの再生信号を所定の第２のしきい値で比較して第２の比較結果信号を出力する第２の比較器と、
上記第２の領域を再生したときの光ディスクからの再生信号を所定の第３のしきい値で比較して第３の比較結果信号を出力する第３の比較器と、
上記第２の比較結果信号と上記第３の比較結果信号との論理演算を行って上記論理演算の結果信号を出力する論理演算回路とを備えたことを特徴とする光ディスク再生装置。
【請求項８】
所定の変調方式で変調された信号を凸凹のピットで記録した光ディスク上に、反射膜を部分的に除去した第１の領域と、所定の変調方式を満足するピットとは異なるピットを記録した第２の領域と、上記第１の領域のディスク上の位置情報が記録された第１の領域の位置情報記録領域と、上記第２の領域のディスク上の位置情報が記録された第２の領域の位置情報記録領域とを有する光ディスクに記録された情報を再生する光ディスク再生装置であって、
上記第１の領域の位置情報記録領域に記録された第１の領域のディスク上の位置情報に基づいて、第１の検出ウィンドウ信号を生成する第１の検出ウィンドウ生成回路と、
上記第２の領域の位置情報記録領域に記録された第２の領域のディスク上の位置情報に基づいて、第２の検出ウィンドウ信号を生成する第２の検出ウィンドウ生成回路と、
上記第１の領域を再生したときの光ディスクからの再生信号に基づいて、上記第１の領域を検出して第１の検出信号を出力する第１の領域検出回路と、
上記第２の領域を再生したときの光ディスクからの再生信号に基づいて、上記第２の領域を検出して第２の検出信号を出力する第２の領域検出回路と、
上記第１の検出ウィンドウ信号の有効区間内における上記第１の検出信号と、上記第２の検出ウィンドウ信号の有効区間内における上記第２の検出信号とに基づいて、上記光ディスクの再生の可否を判断する再生可否判断手段とを備え、
上記第２の領域検出回路は、
上記第２の領域を再生したときの光ディスクからの再生信号を所定の第２のしきい値で比較して第２の比較結果信号を出力する第２の比較器と、
上記第２の領域を再生したときの光ディスクからの再生信号を所定の第３のしきい値で比較して第３の比較結果信号を出力する第３の比較器と、
上記第２の比較結果信号と上記第３の比較結果信号との論理演算を行って上記論理演算の結果信号を出力する論理演算回路とを備えたことを特徴とする光ディスク再生装置。
【請求項９】
所定の変調方式で変調された信号を凸凹のピットで記録した光ディスク上に、反射膜を部分的に除去した第１の領域と、所定の変調方式を満足するピットとは異なるピットを記録した第２の領域とを有する光ディスクに記録された情報を再生する光ディスク再生装置であって、
上記第１の領域を再生したときの光ディスクからの再生信号に基づいて、上記第１の領域を検出して第１の検出信号を出力する第１の領域検出回路と、
上記第２の領域を再生したときの光ディスクからの再生信号に基づいて、上記第２の領域を検出して第２の検出信号を出力する第２の領域検出回路と、
上記第１と第２の検出信号に基づいて、上記光ディスクの再生の可否を判断する再生可否判断手段とを備え、
上記第１の領域検出回路は、上記第１の領域を含むトラックを再生したときの光ディスクからの再生信号と、上記第１の領域を含みかつ上記トラックと隣接するトラックを再生したときの光ディスクからの再生信号とに基づいて、上記第１の領域を検出して第１の検出信号を出力することを特徴とする光ディスク再生装置。
【請求項１０】
所定の変調方式で変調された信号を凸凹のピットで記録した光ディスク上に、反射膜を部分的に除去した第１の領域と、所定の変調方式を満足するピットとは異なるピットを記録した第２の領域と、上記第１の領域のディスク上の位置情報が記録された第１の領域の位置情報記録領域と、上記第２の領域のディスク上の位置情報が記録された第２の領域の位置情報記録領域とを有する光ディスクに記録された情報を再生する光ディスク再生装置であって、
上記第１の領域の位置情報記録領域に記録された第１の領域のディスク上の位置情報に基づいて、第１の検出ウィンドウ信号を生成する第１の検出ウィンドウ生成回路と、
上記第２の領域の位置情報記録領域に記録された第２の領域のディスク上の位置情報に基づいて、第２の検出ウィンドウ信号を生成する第２の検出ウィンドウ生成回路と、
上記第１の領域を再生したときの光ディスクからの再生信号に基づいて、上記第１の領域を検出して第１の検出信号を出力する第１の領域検出回路と、
上記第２の領域を再生したときの光ディスクからの再生信号に基づいて、上記第２の領域を検出して第２の検出信号を出力する第２の領域検出回路と、
上記第１の検出ウィンドウ信号の有効区間内における上記第１の検出信号と、上記第２の検出ウィンドウ信号の有効区間内における上記第２の検出信号とに基づいて、上記光ディスクの再生の可否を判断する再生可否判断手段とを備え、
上記第１の領域検出回路は、上記第１の領域を含むトラックを再生したときの光ディスクからの再生信号と、上記第１の領域を含みかつ上記トラックと隣接するトラックを再生したときの光ディスクからの再生信号とに基づいて、上記第１の領域を検出して第１の検出信号を出力することを特徴とする光ディスク再生装置。
【請求項１１】
所定の変調方式で変調された信号を凸凹のピットで記録した光ディスク上に、反射膜を部分的に除去した第１の領域を有する光ディスクに記録された情報を再生する光ディスク再生方法であって、
上記第１の領域を再生したときの光ディスクからの再生信号に基づいて、上記第１の領域を検出して第１の検出信号を出力するステップと、
上記第１の検出信号に基づいて、上記光ディスクの再生の可否を判断するステップとを含み、
上記第１の領域を検出して第１の検出信号を出力するステップは、上記第１の領域を含むトラックを再生したときの光ディスクからの再生信号と、上記第１の領域を含みかつ上記トラックと隣接するトラックを再生したときの光ディスクからの再生信号とに基づいて、上記第１の領域を検出して第１の検出信号を出力することを含むことを特徴とする光ディスク再生方法。
【請求項１２】
所定の変調方式で変調された信号を凸凹のピットで記録した光ディスク上に、反射膜を部分的に除去した第１の領域を有する光ディスクに記録された情報を再生する光ディスク再生方法であって、
上記第１の領域を再生したときの光ディスクからの再生信号に基づいて、上記第１の領域を検出して第１の検出信号を出力するステップと、
上記第１の検出信号に基づいて、上記光ディスクの再生の可否を判断するステップとを含み、
上記第１の領域を検出して第１の検出信号を出力するステップは、
上記第１の領域を含むトラックを再生したときの光ディスクからの再生信号に基づいて計数された、所定のセクタアドレスから上記検出された第１の領域までの第１のデータ数と、上記第１の領域を含みかつ上記トラックと隣接するトラックを再生したときの光ディスクからの再生信号に基づいて計数された、上記セクタアドレスから上記検出された第１の領域までの第２のデータ数とが実質的に一致するか否かに基づいて、上記第１の領域を検出したか否かを判断するステップを含むことを特徴とする光ディスク再生方法。
【請求項１３】
所定の変調方式で変調された信号を凸凹のピットで記録した光ディスク上に、反射膜を部分的に除去した第１の領域を有する光ディスクに記録された情報を再生する光ディスク再生装置であって、
上記第１の領域を再生したときの光ディスクからの再生信号に基づいて、上記第１の領域を検出して第１の検出信号を出力する検出手段と、
上記第１の検出信号に基づいて、上記光ディスクの再生の可否を判断する判断手段とを備え、
上記検出手段は、上記第１の領域を含むトラックを再生したときの光ディスクからの再生信号と、上記第１の領域を含みかつ上記トラックと隣接するトラックを再生したときの光ディスクからの再生信号とに基づいて、上記第１の領域を検出して第１の検出信号を出力することを特徴とする光ディスク再生装置。
【請求項１４】
所定の変調方式で変調された信号を凸凹のピットで記録した光ディスク上に、反射膜を部分的に除去した第１の領域を有する光ディスクに記録された情報を再生する光ディスク再生装置であって、
上記第１の領域を再生したときの光ディスクからの再生信号に基づいて、上記第１の領域を検出して第１の検出信号を出力する検出手段と、
上記第１の検出信号に基づいて、上記光ディスクの再生の可否を判断する判断手段とを備え、
上記検出手段は、上記第１の領域を含むトラックを再生したときの光ディスクからの再生信号に基づいて計数された、所定のセクタアドレスから上記検出された第１の領域までの第１のデータ数と、上記第１の領域を含みかつ上記トラックと隣接するトラックを再生したときの光ディスクからの再生信号に基づいて計数された、上記セクタアドレスから上記検出された第１の領域までの第２のデータ数とが実質的に一致するか否かに基づいて、上記第１の領域を検出したか否かを判断することを特徴とする光ディスク再生装置。
【発明の詳細な説明】
【０００１】
【発明の属する技術分野】
本発明は、著作権を保護すべきコンテンツ情報を記録するための光ディスクと、その光ディスクに記録された情報を再生する光ディスク再生方法及び光ディスク再生装置に関する。
【０００２】
【従来の技術】
近年のマルチメディア社会において、ＣＤ−ＲＯＭやＤＶＤ等の光ディスクの普及は目覚ましいものがある。一方、光ディスクの普及と相まって、これを違法にコピーして著作権者の利益を奪ういわゆる海賊版ＲＯＭディスクが登場し、急速にその割合を増やしつつある。光ディスクの違法コピーは、通常、正規の光ディスクを購入し、ディスクドライブで再生してマスターテープを作り、これを基にして通常のディスク製造方法と同様の方法で大量生産することにより可能となる。
【０００３】
このような違法コピーを未然に防止するために、専用のプレーヤでなければ再生できないように工夫された光ディスクもある。このようなものとして、例えば主情報を一定の符号化手段で記録しておくとともに、鏡面領域等に主情報の復号化手段を示すキー情報をバーコードシンボルで記憶しておき、再生装置がそのキー情報を読み取ってその情報で示される符号化方式で主情報を復号化して再生する方式が特開平７−８５５７４号公報において開示されている。
【０００４】
【発明が解決しようとする課題】
ところで、これらのコピー防止方法は、通常の光ディスクプレーヤでは再生できないという非常に優れた利点を有してはいるが、再生という操作を伴わないコピー、すなわち光ディスクの面に刻まれた信号の凹凸を物理的にそのまま転写するようなコピー手段には無力であり、対抗できない。このようなコピー方法では、再生手段を一切必要とせず、オリジナルの光ディスクの信号を如何に高度にかつ複雑にしても、そのまま光ディスクの凹凸情報を写し取れるので、意味のないものになってしまう。
【０００５】
本発明の目的は以上の問題点を解決し、光ディスクの面に刻まれた信号の凸凹を物理的にそのまま転写するようなコピー手段に対抗できる光ディスク、その光ディスクに記録された情報を再生する光ディスク再生方法及び光ディスク再生装置を提供することにある。
【０００６】
【課題を解決するための手段】
本発明に係る光ディスクは、所定の変調方式で変調された信号を凸凹のピットで記録した光ディスク上に、反射膜を部分的に除去した第１の領域と、所定の変調方式を満足するピットとは異なるピットを記録した第２の領域とを有し、
上記第２の領域に記録されるピットは、上記変調方式で決まる最長のピット長さよりも長く、かつピットの中央部のエッジが端部のエッジに比べてゆるやかに傾斜していることを特徴とする。
【０００７】
また、本発明に係る光ディスクは、所定の変調方式で変調された信号を凸凹のピットで記録した光ディスク上に、反射膜を部分的に除去した第１の領域と、所定の変調方式を満足するピットとは異なるピットを記録した第２の領域と、上記第１の領域のディスク上の位置情報が記録された第１の領域の位置情報記録領域と、上記第２の領域のディスク上の位置情報が記録された第２の領域の位置情報記録領域とを有し、
上記第２の領域に記録されるピットは、上記変調方式で決まる最長のピット長さよりも長く、かつピットの中央部のエッジが端部のエッジに比べてゆるやかに傾斜していることを特徴とする。
【００１４】
また、本発明に係る光ディスク再生方法は、所定の変調方式で変調された信号を凸凹のピットで記録した光ディスク上に、反射膜を部分的に除去した第１の領域と、所定の変調方式を満足するピットとは異なるピットを記録した第２の領域と、上記第１の領域のディスク上の位置情報が記録された第１の領域の位置情報記録領域と、上記第２の領域のディスク上の位置情報が記録された第２の領域の位置情報記録領域とを有する光ディスクに記録された情報を再生する光ディスク再生方法であって、
上記第１の領域の位置情報記録領域に記録された第１の領域のディスク上の位置情報に基づいて第１の領域を再生して第１の領域の再生信号を出力するステップと、
上記第２の領域の位置情報記録領域に記録された第２の領域のディスク上の位置情報に基づいて第２の領域を再生して第２の領域の再生信号を出力するステップと、
上記第１の領域の再生信号に基づいて、反射膜が部分的に除去された領域であることを検出するステップと、
上記第２の領域の再生信号に基づいて、所定の変調方式を満足するピットとは異なるピットであることを検出するステップと、
上記２つの検出するステップの検出結果に基づいて、上記光ディスクの再生の可否を判断するステップとを含み、
上記第１の領域を再生するステップは、デフォーカス状態で上記第１の領域を再生することを特徴とする。
【００１５】
さらに、本発明に係る光ディスク再生方法は、所定の変調方式で変調された信号を凸凹のピットで記録した光ディスク上に、反射膜を部分的に除去した第１の領域と、所定の変調方式を満足するピットとは異なるピットを記録した第２の領域と、上記第１の領域のディスク上の位置情報が記録された第１の領域の位置情報記録領域と、上記第２の領域のディスク上の位置情報が記録された第２の領域の位置情報記録領域とを有する光ディスクに記録された情報を再生する光ディスク再生方法であって、
上記第１の領域の位置情報記録領域に記録された第１の領域のディスク上の位置情報に基づいて第１の領域を再生して第１の領域の再生信号を出力するステップと、
上記第２の領域の位置情報記録領域に記録された第２の領域のディスク上の位置情報に基づいて第２の領域を再生して第２の領域の再生信号を出力するステップと、
上記第１の領域の再生信号に基づいて、反射膜が部分的に除去された領域であることを検出するステップと、
上記第２の領域の再生信号に基づいて、所定の変調方式を満足するピットとは異なるピットであることを検出するステップと、
上記２つの検出するステップの検出結果に基づいて、上記光ディスクの再生の可否を判断するステップとを含み、
上記第１の領域を再生するステップは、隣接する２つのトラックの間の領域をトラッキングすることにより上記第１の領域を再生することを特徴とする。
【００１６】
また、本発明に係る光ディスク再生方法は、所定の変調方式で変調された信号を凸凹のピットで記録した光ディスク上に、反射膜を部分的に除去した第１の領域と、所定の変調方式を満足するピットとは異なるピットを記録した第２の領域とを有する光ディスクに記録された情報を再生する光ディスク再生方法であって、
上記第１の領域の再生信号に基づいて反射膜が部分的に除去された領域であることを検出するステップと、
上記第２の領域の再生信号から所定の変調方式を満足するピットとは異なるピットであることを検出するステップと、
上記２つの検出するステップの検出結果に基づいて、上記光ディスクの再生の可否を判断するステップとを含み、
上記反射膜が部分的に除去された領域であることを検出するステップは、隣接する２つのトラックにおいて反射膜が除去されたことを検出することを特徴とする。
【００１７】
さらに、本発明に係る光ディスク再生方法は、所定の変調方式で変調された信号を凸凹のピットで記録した光ディスク上に、反射膜を部分的に除去した第１の領域と、所定の変調方式を満足するピットとは異なるピットを記録した第２の領域と、上記第１の領域のディスク上の位置情報が記録された第１の領域の位置情報記録領域と、上記第２の領域のディスク上の位置情報が記録された第２の領域の位置情報記録領域とを有する光ディスクに記録された情報を再生する光ディスク再生方法であって、
上記第１の領域の位置情報記録領域に記録された第１の領域のディスク上の位置情報に基づいて第１の領域を再生して第１の領域の再生信号を出力するステップと、
上記第２の領域の位置情報記録領域に記録された第２の領域のディスク上の位置情報に基づいて第２の領域を再生して第２の領域の再生信号を出力するステップと、
上記第１の領域の再生信号に基づいて、反射膜が部分的に除去された領域であることを検出するステップと、
上記第２の領域の再生信号に基づいて、所定の変調方式を満足するピットとは異なるピットであることを検出するステップと、
上記２つの検出するステップの検出結果に基づいて、上記光ディスクの再生の可否を判断するステップとを含み、
上記反射膜が部分的に除去された領域であることを検出するステップは、隣接する２つのトラックにおいて反射膜が除去されたことを検出することを特徴とする。
【００１８】
本発明に係る光ディスク再生装置は、所定の変調方式で変調された信号を凸凹のピットで記録した光ディスク上に、反射膜を部分的に除去した第１の領域と、所定の変調方式を満足するピットとは異なるピットを記録した第２の領域とを有する光ディスクに記録された情報を再生する光ディスク再生装置であって、
上記第１の領域を再生したときの光ディスクからの再生信号に基づいて、上記第１の領域を検出して第１の検出信号を出力する第１の領域検出回路と、
上記第２の領域を再生したときの光ディスクからの再生信号に基づいて、上記第２の領域を検出して第２の検出信号を出力する第２の領域検出回路と、
上記第１と第２の検出信号に基づいて、上記光ディスクの再生の可否を判断する再生可否判断手段とを備え、
上記第２の領域検出回路は、
上記第２の領域を再生したときの光ディスクからの再生信号を所定の第２のしきい値で比較して第２の比較結果信号を出力する第２の比較器と、
上記第２の領域を再生したときの光ディスクからの再生信号を所定の第３のしきい値で比較して第３の比較結果信号を出力する第３の比較器と、
上記第２の比較結果信号と上記第３の比較結果信号との論理演算を行って上記論理演算の結果信号を出力する論理演算回路とを備えたことを特徴とする。
【００１９】
また、本発明に係る光ディスク再生装置は、所定の変調方式で変調された信号を凸凹のピットで記録した光ディスク上に、反射膜を部分的に除去した第１の領域と、所定の変調方式を満足するピットとは異なるピットを記録した第２の領域と、上記第１の領域のディスク上の位置情報が記録された第１の領域の位置情報記録領域と、上記第２の領域のディスク上の位置情報が記録された第２の領域の位置情報記録領域とを有する光ディスクに記録された情報を再生する光ディスク再生装置であって、
上記第１の領域の位置情報記録領域に記録された第１の領域のディスク上の位置情報に基づいて、第１の検出ウィンドウ信号を生成する第１の検出ウィンドウ生成回路と、
上記第２の領域の位置情報記録領域に記録された第２の領域のディスク上の位置情報に基づいて、第２の検出ウィンドウ信号を生成する第２の検出ウィンドウ生成回路と、
上記第１の領域を再生したときの光ディスクからの再生信号に基づいて、上記第１の領域を検出して第１の検出信号を出力する第１の領域検出回路と、
上記第２の領域を再生したときの光ディスクからの再生信号に基づいて、上記第２の領域を検出して第２の検出信号を出力する第２の領域検出回路と、
上記第１の検出ウィンドウ信号の有効区間内における上記第１の検出信号と、上記第２の検出ウィンドウ信号の有効区間内における上記第２の検出信号とに基づいて、上記光ディスクの再生の可否を判断する再生可否判断手段とを備え、
上記第２の領域検出回路は、
上記第２の領域を再生したときの光ディスクからの再生信号を所定の第２のしきい値で比較して第２の比較結果信号を出力する第２の比較器と、
上記第２の領域を再生したときの光ディスクからの再生信号を所定の第３のしきい値で比較して第３の比較結果信号を出力する第３の比較器と、
上記第２の比較結果信号と上記第３の比較結果信号との論理演算を行って上記論理演算の結果信号を出力する論理演算回路とを備えたことを特徴とする。
【００２１】
また、本発明に係る光ディスク再生装置は、所定の変調方式で変調された信号を凸凹のピットで記録した光ディスク上に、反射膜を部分的に除去した第１の領域と、所定の変調方式を満足するピットとは異なるピットを記録した第２の領域とを有する光ディスクに記録された情報を再生する光ディスク再生装置であって、
上記第１の領域を再生したときの光ディスクからの再生信号に基づいて、上記第１の領域を検出して第１の検出信号を出力する第１の領域検出回路と、
上記第２の領域を再生したときの光ディスクからの再生信号に基づいて、上記第２の領域を検出して第２の検出信号を出力する第２の領域検出回路と、
上記第１と第２の検出信号に基づいて、上記光ディスクの再生の可否を判断する再生可否判断手段とを備え、
上記第１の領域検出回路は、上記第１の領域を含むトラックを再生したときの光ディスクからの再生信号と、上記第１の領域を含みかつ上記トラックと隣接するトラックを再生したときの光ディスクからの再生信号とに基づいて、上記第１の領域を検出して第１の検出信号を出力することを特徴とする。
【００２２】
さらに、本発明に係る光ディスク再生装置は、所定の変調方式で変調された信号を凸凹のピットで記録した光ディスク上に、反射膜を部分的に除去した第１の領域と、所定の変調方式を満足するピットとは異なるピットを記録した第２の領域と、上記第１の領域のディスク上の位置情報が記録された第１の領域の位置情報記録領域と、上記第２の領域のディスク上の位置情報が記録された第２の領域の位置情報記録領域とを有する光ディスクに記録された情報を再生する光ディスク再生装置であって、
上記第１の領域の位置情報記録領域に記録された第１の領域のディスク上の位置情報に基づいて、第１の検出ウィンドウ信号を生成する第１の検出ウィンドウ生成回路と、
上記第２の領域の位置情報記録領域に記録された第２の領域のディスク上の位置情報に基づいて、第２の検出ウィンドウ信号を生成する第２の検出ウィンドウ生成回路と、
上記第１の領域を再生したときの光ディスクからの再生信号に基づいて、上記第１の領域を検出して第１の検出信号を出力する第１の領域検出回路と、
上記第２の領域を再生したときの光ディスクからの再生信号に基づいて、上記第２の領域を検出して第２の検出信号を出力する第２の領域検出回路と、
上記第１の検出ウィンドウ信号の有効区間内における上記第１の検出信号と、上記第２の検出ウィンドウ信号の有効区間内における上記第２の検出信号とに基づいて、上記光ディスクの再生の可否を判断する再生可否判断手段とを備え、
上記第１の領域検出回路は、上記第１の領域を含むトラックを再生したときの光ディスクからの再生信号と、上記第１の領域を含みかつ上記トラックと隣接するトラックを再生したときの光ディスクからの再生信号とに基づいて、上記第１の領域を検出して第１の検出信号を出力することを特徴とする。
【００２４】
本発明に係る光ディスク再生方法は、所定の変調方式で変調された信号を凸凹のピットで記録した光ディスク上に、反射膜を部分的に除去した第１の領域を有する光ディスクに記録された情報を再生する光ディスク再生方法であって、
上記第１の領域を再生したときの光ディスクからの再生信号に基づいて、上記第１の領域を検出して第１の検出信号を出力するステップと、
上記第１の検出信号に基づいて、上記光ディスクの再生の可否を判断するステップとを含み、
上記第１の領域を検出して第１の検出信号を出力するステップは、上記第１の領域を含むトラックを再生したときの光ディスクからの再生信号と、上記第１の領域を含みかつ上記トラックと隣接するトラックを再生したときの光ディスクからの再生信号とに基づいて、上記第１の領域を検出して第１の検出信号を出力することを含むことを特徴とする。
【００２５】
また、本発明に係る光ディスク再生方法は、所定の変調方式で変調された信号を凸凹のピットで記録した光ディスク上に、反射膜を部分的に除去した第１の領域を有する光ディスクに記録された情報を再生する光ディスク再生方法であって、
上記第１の領域を再生したときの光ディスクからの再生信号に基づいて、上記第１の領域を検出して第１の検出信号を出力するステップと、
上記第１の検出信号に基づいて、上記光ディスクの再生の可否を判断するステップとを含み、
上記第１の領域を検出して第１の検出信号を出力するステップは、
上記第１の領域を含むトラックを再生したときの光ディスクからの再生信号に基づいて計数された、所定のセクタアドレスから上記検出された第１の領域までの第１のデータ数と、上記第１の領域を含みかつ上記トラックと隣接するトラックを再生したときの光ディスクからの再生信号に基づいて計数された、上記セクタアドレスから上記検出された第１の領域までの第２のデータ数とが実質的に一致するか否かに基づいて、上記第１の領域を検出したか否かを判断するステップを含むことを特徴とする。
【００２６】
本発明に係る光ディスク再生装置は、所定の変調方式で変調された信号を凸凹のピットで記録した光ディスク上に、反射膜を部分的に除去した第１の領域を有する光ディスクに記録された情報を再生する光ディスク再生装置であって、
上記第１の領域を再生したときの光ディスクからの再生信号に基づいて、上記第１の領域を検出して第１の検出信号を出力する検出手段と、
上記第１の検出信号に基づいて、上記光ディスクの再生の可否を判断する判断手段とを備え、
上記検出手段は、上記第１の領域を含むトラックを再生したときの光ディスクからの再生信号と、上記第１の領域を含みかつ上記トラックと隣接するトラックを再生したときの光ディスクからの再生信号とに基づいて、上記第１の領域を検出して第１の検出信号を出力することを特徴とする。
【００２８】
また、本発明に係る光ディスク再生装置は、所定の変調方式で変調された信号を凸凹のピットで記録した光ディスク上に、反射膜を部分的に除去した第１の領域を有する光ディスクに記録された情報を再生する光ディスク再生装置であって、
上記第１の領域を再生したときの光ディスクからの再生信号に基づいて、上記第１の領域を検出して第１の検出信号を出力する検出手段と、
上記第１の検出信号に基づいて、上記光ディスクの再生の可否を判断する判断手段とを備え、
上記検出手段は、上記第１の領域を含むトラックを再生したときの光ディスクからの再生信号に基づいて計数された、所定のセクタアドレスから上記検出された第１の領域までの第１のデータ数と、上記第１の領域を含みかつ上記トラックと隣接するトラックを再生したときの光ディスクからの再生信号に基づいて計数された、上記セクタアドレスから上記検出された第１の領域までの第２のデータ数とが実質的に一致するか否かに基づいて、上記第１の領域を検出したか否かを判断することを特徴とする。
【００２９】
【発明の実施の形態】
以下、図面を参照して本発明の実施形態に係る光ディスク、光ディスク再生方法及び光ディスク再生装置について説明する。ここで、光ディスクとは、ＣＤ、ビデオＣＤ、ＣＤ−ＲＯＭ、ＣＤ−Ｒ、ＣＤ−ＲＷ、ＭＤ、ＤＶＤ、ＤＶＤ−ＲＯＭ、ＤＶＤ−ＲＡＭ、ＤＶＤ−ＲＷなどの光ディスク又は光磁気ディスクを含む。
【００３０】
第１の実施形態．
図１は、本発明に係る第１の実施形態の光ディスク１の平面構造を示す平面図であり、図２は、図１の光ディスク１の断面構造を示す断面図である。また、図３は、図１の光ディスク１における第１の領域２の断面構造を示す断面図であり、図４は、図１の光ディスク１における第２の領域３の拡大図であって、長ピット１０７の平面構造を示す平面図である。
【００３１】
図１は、光ディスク１全体の情報記録領域の平面構造を示しており、制御情報を記録するためのリードイン領域１１１と、コンテンツ制御情報やコンテンツデータからなるコンテンツ情報を記録するためのユーザデータ記録領域であるデータ記録領域１１２と、リードアウト領域１１３とから構成されており、光ディスク１は、その中央部に回転駆動孔１ｈを有し、その内側から順次、リードイン領域１１１と、データ記録領域１１２と、リードアウト領域１１３とが配置されている。ここで、データ記録領域１１２において、詳細後述する第１の領域２が光ディスク１の径方向に長手方向を有するように延在する一方、詳細後述する第２の領域３が光ディスク１の周方向（又は円周方向）に長手方向を有するように延在する。
【００３２】
光ディスク１は図２に示すように、透明光ディスク基板１００と、光ディスク基板１０２とを張り合わせて作成される。レプリカに基づいて凹凸のピットが形成されるように成形して作成した透明光ディスク基板１００の一方の面上に、アルミ又は金などの反射膜１０１を公知のスパッタリング法を用いて形成する。次いで、別の工程で作成した光ディスク基板１０２の一方の面と、この反射膜１０１が形成された透明光ディスク基板１００の面とを紫外線硬化樹脂の接着層１０３を介して張り合わせた後、当該張り合わせた光ディスク基板１００，１０２に対して紫外線を照射することにより、上記接着層１０３を硬化させてこれら２枚の光ディスク基板１００，１０２を強固に接着し、その結果、光ディスク１が作成される。
【００３３】
図３は、図１の光ディスク１において、上記の反射膜１０１を部分的に除去してなる無反射部１０６を有する第１の領域２の断面構造を示す。この作成方法は、国際出願に係る国際公開番号ＷＯ９６／１６４０１号公報に開示されており、当該公報を参照して、この作成方法について、図５を参照して簡単に説明する。図２を参照して上述した方法により完成された光ディスク１に対して、その透明光ディスク基板１００側から、ＹＡＧパルスレーザ１０４で発生されたパルスレーザ光を、集光レンズ１０５により反射膜１０１に集束させるように照射することにより、反射膜１０１を部分的に除去し、その結果、第１の領域２において、無反射部１０６を形成する。
【００３４】
図６は、図１の光ディスク１の無反射部１０６の領域を再生したときの再生信号の信号波形（周方向の長さに対する反射光の強度に比例する）であって、図６（ａ）は変調度が低い場合の再生信号の信号波形の波形図であり、図６（ｂ）は変調度が高い場合の再生信号の信号波形の波形図であり、図６（ｃ）は変調度が高くかつデフォーカス状態での再生信号の信号波形の波形図である。図５を参照して上述したように構成された光ディスク１の第１の領域２を光ディスク再生装置を用いて再生すると、図６に示すように周期的に変化するＲＦ信号を含む再生信号の信号波形が得られる。変調度が低い場合、周期的に変化するＲＦ信号の暗レベル（ＲＦ信号の包絡線の最も暗部のレベルであり、下エンベロープレベルともいう。）が十分に下がらないので、図６（ａ）に示すように、無反射部１０６の領域では、ＲＦ信号の下エンベロープレベルよりも所定のレベルシフト量だけ低いレベルである第１のスライスレベルをしきい値として用いて比較することにより、無反射部１０６の存在を判別することができる。
【００３５】
また、変調度が高い場合、図６（ｂ）に示すように、ＲＦ信号の下エンベロープレベルは十分に下がり、無反射部１０６の出力レベルと差がなくなり、検出は容易ではなくなくなる。しかしながら、このときは、光ディスク１に対して照射するレーザ光のスポットがデフォーカス状態となるように、光ディスク再生装置の光学ピックアップである光学ヘッドを制御することにより、再生されたＲＦ信号の下エンベロープレベルが上昇して、無反射部１０６の領域における再生信号レベルとの有意な差ができるので、無反射部１０６の領域を容易に検出することができる。実際には、光ディスク１上のレーザ光のスポットをデフォーカス状態にして光ディスク１に記録された情報を再生しようとすると、再生信号からアナログ処理部内のＰＬＬ回路により生成される再生クロック信号を生成することができなくなる場合もあるので、デフォーカス状態にする直前に、ＰＬＬ回路をホールドして、再生クロック信号を直前の状態でホールドして再生するようにアナログ処理部を制御する場合も生じる。
【００３６】
さらには、光学系のトラッキングを、光ディスク１上の隣接する２つのトラックの間の領域にあわせて、すなわち、２つのトラックの間の領域をトラッキングすることにより、第１の領域２を再生するようにしてもよい。この場合も、同様に、無反射部１０６以外の領域でのＲＦ信号の暗レベルである下エンベロープレベルが上昇するが、ＲＦ信号のクロストークにより再生クロック信号を生成できなくなる。このため、トラック間にトラッキングさせる直前の再生クロックを直前の状態でホールドして再生する。
【００３７】
図７は、本発明に係る第１の実施形態で用いる第１の領域検出回路２３ａの構成を示すブロック図である。この第１の領域検出回路２３ａは、データスライサ４と、下エンベロープ検出回路５と、レベルシフト回路６と、コンパレータ７とを備えて構成される。
【００３８】
図７において、光ディスク１から再生された再生信号に対してアナログ信号処理を実行するアナログ処理部２０（図１６参照。）から出力される再生信号は、データスライサ４、コンパレータ７の第１の入力端子、及び下エンベロープ検出回路５に入力される。データスライサ４は、光ディスク１からアナログ処理部２０を介して再生される再生信号を、所定のしきい値を用いて２値化することにより、ディジタルデータである２値化再生信号に変換して出力する。一方、下エンベロープ検出回路５は、入力される再生信号から再生信号の包絡線の最も下側のレベルである下エンベロープレベルを検出して、当該下エンベロープレベルを有する下エンベロープ信号をレベルシフト回路６に出力する。次いで、レベルシフト回路６は、入力される下エンベロープ信号の下エンベロープレベルを、所定のレベルシフト量（図６（ａ）及び図６（ｃ）参照。）だけ下方にレベルシフトさせた後、レベルシフト後の上述の第１のスライスレベルを有するしきい値信号をコンパレータ７の第２の入力端子に出力する。さらに、コンパレータ７は、第１の入力端子に入力される再生信号を、第２の入力端子に入力される、第１のスライスレベルを有するしきい値信号と比較して、再生信号のレベルが第１のスライスレベルよりも低いときに、すなわち、無反射部１０６の領域のときに、ローレベルの信号を無反射部検出信号として出力する。このようにして、反射膜が部分的に除去された第１の領域２における無反射部１０６の領域を容易に検出することができる。
【００３９】
次いで、所定の変調方式で定められた最大ピット長よりも長く、すなわち、上記変調方式を満足する凹凸のピットとは異なる長さを有する凹凸の長ピット１０７を形成した第２の領域３について説明する。この第２の領域３には、図４及び図８の平面構造に示すように、例えばユーザデータが通常にデータ記録領域１１２に記録される場合のピット長が３Ｔ〜１４Ｔ（ここで、Ｔは１つの再生クロック信号に対応する長さである。）とすると、１００Ｔ程度に相当する周方向に平行な長手方向の長さを有する長ピット１０７が形成されている。また、図９は、図８の長ピット１０７の断面構造を示す図であって、図９（ａ）は長ピット１０７の中央部に位置する図８のＡ−Ａ’面における断面図であり、図９（ｂ）は長ピット１０７の端部に位置する図８のＢ−Ｂ’面における断面図である。
【００４０】
図９（ａ）及び図９（ｂ）に示すように、この長ピット１０７の断面構造は、円周方向である長手方向の中央部（長手方向の両端部の中間に位置する部分をいう。）に近づくにつれて、長ピット１０７の断面のエッジの曲率が大きくなり、その中央部の断面は図９（ａ）に示す断面形状を有する。また、長ピット１０７の両端部の断面は図９（ｂ）に示す断面形状を有する。このような断面形状を有する長ピット１０７は、光ディスク１の透明光ディスク基板１００の成形条件を公知の通り適切に設定することで、容易に形成することができる。
【００４１】
この第２の領域３に記録された情報を周方向で再生した場合の再生信号の信号波形を図１１（ａ）に示す。ここで、図１１（ａ）、図１１（ｂ）及び図１１（ｃ）の横軸は、光ディスク１へのレーザ光のスポットを定速で移動させて第２の領域３に記録された情報を周方向で再生したときの、周方向の長さに対応する経過時間である。
【００４２】
図１１（ａ）に示すように、光ディスク１へのレーザ光のスポットを、長ピット１０７の一端から、長ピット１０７の長手方向の中央部に周方向で移動させるにつれて、再生信号のレベルが明レベルに向かって緩やかな傾斜で上昇した後、長ピット１０７の長手方向の中央部において再生信号のレベルが、長ピット１０７の領域中で最も明るい明レベルとなる。さらに、光ディスク１へのレーザ光のスポットを、長ピット１０７の中央部から、長ピット１０７の他端部に周方向で移動させるにつれて、再生信号のレベルが暗レベルに向かって緩やかな傾斜で下降する。このように長ピット１０７の領域で再生信号のレベルが変化するのは、図９（ａ）に示したように、長ピット１０７の中央部において、干渉の起こる長ピット１０７のエッジ部の曲率が大きくなっているので、実質的なピット深さＤが規定のλ／４（ここで、λは光学ヘッド１８からのレーザ光の平均波長である。）になっておらず、再生信号のレベルが明レベルに上昇しているためである。
【００４３】
次いで、この第２の領域３を識別する方法について図１０、図１１（ａ）、図１１（ｂ）及び図１１（ｃ）を参照して説明する。図１０は、本発明に係る第１の実施形態で用いる第２の領域検出回路２４ａの構成を示すブロック図である。また、図１１は、図１０の第２の領域検出回路２４ａにおける第２の領域の検出する方法を示す図であって、図１１（ａ）は長ピット１０７の領域を含む領域の再生信号の信号波形を示す波形図であり、図１１（ｂ）は明レベルに近い図１０の第１のしきい値電圧Ｖ１ｔｈを用いたときのコンパレータ８の出力信号ＣＶ１の信号波形を示す波形図であり、図１１（ｃ）は暗レベルに近い図１０の第２のしきい値電圧Ｖ２ｔｈを用いたときのコンパレータ９の出力信号ＣＶ２の信号波形を示す波形図である。
【００４４】
図１０において、第２の領域検出回路２４ａは、データスライサ４と、２つのコンパレータ８，９と、２つのしきい値電圧発生器８ａ，９ａと、２つのカウンタ１０，１１と、正規長ピット判別回路１２とを備えて構成される。図１０において、図７と同様のものについては同一の符号を付している。
【００４５】
図１０において、光ディスク１から再生された再生信号に対してアナログ信号処理を実行するアナログ処理部２０（図１６参照。）から出力される再生信号は、データスライサ４及び２つのコンパレータ８及び９の各第１の入力端子に入力される。データスライサ４は、光ディスク１からアナログ処理部２０を介して再生される再生信号を、所定のしきい値を用いて２値化することにより、ディジタルデータである２値化再生信号に変換して出力する。一方、コンパレータ８の第２の入力端子には、しきい値電圧発生器８ａからの第１のしきい値電圧Ｖ１ｔｈが入力され、コンパレータ８は、第１の入力端子に入力される再生信号を、明レベルに近い第１のしきい値電圧Ｖ１ｔｈと比較して、比較結果信号をカウンタ１０に出力する。ここで、コンパレータ８は、再生信号のレベルが第１のしきい値電圧Ｖ１ｔｈ以上であるときに、ハイレベルの比較結果信号を出力する一方、その他の場合に、ローレベルの比較結果信号を出力する。また、コンパレータ９の第２の入力端子には、しきい値電圧発生器９ａからの第２のしきい値電圧Ｖ２ｔｈが入力され、コンパレータ９は、第１の入力端子に入力される再生信号を、暗レベルに近い第２のしきい値電圧Ｖ２ｔｈと比較して、比較結果信号をカウンタ１１に出力する。ここで、コンパレータ９は、再生信号のレベルが第２のしきい値電圧Ｖ２ｔｈ以上であるときに、ハイレベルの比較結果信号を出力する一方、その他の場合に、ローレベルの比較結果信号を出力する。
【００４６】
各カウンタ１０，１１はそれぞれ、入力される比較結果信号がハイレベルである有効期間において、再生信号からアナログ処理部２０により再生されるチャンネルビットクロック信号ｐｃｋを計数して、計数結果の時間データ（比較結果信号がハイレベルである図１１（ｂ）の時間Ｔ１、図１１（ｃ）の時間Ｔ２に対応する。）を正規長ピット判別回路１２に出力する。次いで、正規長ピット判別回路１２は、図１１（ｃ）の時間Ｔ２が所定の第１のしきい値時間以上であって、かつ時間Ｔ２の始まり（長ピット１０７の領域における時間Ｔ２のハイレベルの比較結果信号のパルスの立ち上がり）から時間Ｔ１の始まり（長ピット１０７の領域における時間Ｔ１のハイレベルの比較結果信号のパルスの立ち上がり）までの時間が所定の第２のしきい値時間以上であるとき、長ピット１０７の存在、すなわち第２の領域３の存在を検出したと判断して、長ピット検出信号を出力する。
【００４７】
所定の変調方式を用いて変調された信号で光ディスク１上に記録された通常のピットにおいては、暗レベルから明レベルへの変化は急激であり、その時間はほぼ一定であるが、上記長ピット１０７においては、暗レベルから明レベルへの変化は通常のピットのそれに比べて緩やかな傾斜で徐々に変化するので、上述した方法を用いて、すなわち、図１０の第２の領域検出回路２４ａを用いて長ピット１０７又は第２の領域３を容易に検出することができる。
【００４８】
このように構成した光ディスク１を、海賊版業者がいわゆるＲＦコピーした場合について説明する。ここで述べる「ＲＦコピー」とは、光ディスク１から再生される再生信号であるＲＦ信号を使用してスタンパを作成し、そのスタンパを用いて複製の光ディスクを作成するものである。
【００４９】
この光ディスク１をこのようにして作成した場合について、図１２を用いて説明する。図１２は、各光ディスクに対して無反射部１０６の領域及び長ピット１０７の領域を再生したときの再生信号の信号波形を示す波形図の表であって、図１２（ａ）は本発明に係る第１の実施形態である正規の光ディスク１における無反射部１０６の領域及び長ピット１０７の領域を再生したときの再生信号の信号波形を示す波形図であり、図１２（ｂ）はＲＦコピーにより作成された第１の海賊版の光ディスクにおける無反射部１０６の領域及び長ピット１０７の領域を再生したときの再生信号の信号波形を示す波形図であり、図１２（ｃ）は第１の海賊版の光ディスクを成形条件を変えて作成した第２の海賊版の光ディスクにおける無反射部１０６の領域及び長ピット１０７の領域を再生したときの再生信号の信号波形を示す波形図である。
【００５０】
一般に、無反射部１０６の再生信号をそのままＲＦコピーして作成した海賊版の光ディスクにおいては、その無反射部１０６の部分が長ピットとして記録される。また正規の光ディスクの長ピット１０７の部分は、ピットの有無として判断されるので、海賊版では、長ピット１０７の長さが短くなったように記録される。
【００５１】
従って、図１２に示すように、海賊版の光ディスクに記録された情報を再生した場合、正規の光ディスクでの第１の領域２に相当する領域では、ＲＦ信号は長い時間の暗レベル信号を含むので、あたかも長ピット１０７が形成されるようになる。但し、成形条件により、暗レベルに落ち着いて連続する再生信号の信号波形（図１２（ｂ）における無反射部１０６の領域の欄参照。）か、あるいは正規の光ディスクの第２の領域３と同じような再生信号の信号波形（図１２（ｃ）における無反射部１０６の領域の欄参照。）が得られる。
【００５２】
また、正規の光ディスクの第２の領域３に相当する部分は、短い暗レベルに挟まれた長い明レベルとして再生されるが、このＲＦ信号を用いてスタンパを作成して、海賊版の不正な光ディスクを複製すると、正規の長ピット１０７に比べて短いピットができ、暗レベルから明レベルへの変化も、正規の光ディスクの長ピット１０７に比べては急峻なものとなる（図１２（ｂ）及び図１２（ｃ）における長ピット１０７の領域の欄参照。）。このように、無反射部１０６の再生信号と、長ピット部１０７の再生信号の組み合わせにより、正規の光ディスク１を判別し、光ディスク１の再生の可否を判断することができる。
【００５３】
以上説明したように、本実施形態によれば、所定の変調方式で変調された信号を凸凹のピットで記録した光ディスク上に、反射膜を部分的に除去した第１の領域２と、所定の変調方式を満足するピットとは異なるピットを記録した第２の領域３と設けることにより、海賊版の光ディスクの識別を容易にし、光ディスクに記録された情報を再生することの可否を判断することができ、著作権者の権利を保護する光ディスク１を提供することができる。
【００５４】
第２の実施形態．
図１３は、本発明に係る第２の実施形態の光ディスク１ａの平面構造を示す平面図である。この第２の実施形態に係る光ディスク１ａは、第１の実施形態に係る光ディスク１において、ＢＣＡ（バーストカッティングエリア）１３と言われる記録領域を有し、このＢＣＡ１３において、第１の領域の位置情報を第１の領域の位置情報記録領域１３ａに格納するとともに、第２の領域の位置情報を第２の領域の位置情報記録領域１３ｂに格納したことを特徴としている。光ディスク１ａにおいて、その他の構成については、第１の実施形態に係る光ディスク１と同様である。この第２の実施形態に係る光ディスク１ａに記録された情報を再生するときに、このＢＣＡ１３内の第１の領域の位置情報記録領域１３ａ及び第２の領域の位置情報記録領域１３ｂに記録された位置情報に基づいて、正規の光ディスク１ａであるか否かの判別をより容易にするものである。
【００５５】
図１４は、本発明に係る第２の実施形態で用いる第１の領域検出回路２３の構成を示すブロック図であり、図１４において図７の第１の領域検出回路２３ａと同様のものについては同様の符号を付しており、その詳細な説明を省略する。なお、本実施形態では、ＢＣＡ１３には、無反射部１０６が存在するアドレス及び長ピット１０７が存在するアドレスが書き込まれており、このアドレスは、ＩＤ番号とクロック数とからなる位置情報を含む。図１４において、第１の領域検出回路２３は、データスライサ４と、下エンベロープ検出回路５と、レベルシフト回路６と、コンパレータ７とに加えて、ウィンドウ生成回路１４と、カウンタ１５と、ラッチ１６と、ＢＣＡ再生回路３１と、アンドゲート３２とを備えて構成される。
【００５６】
ＢＣＡ再生回路３１は、光ディスク１ａ内のＢＣＡ１３に記録された情報データを再生し、特に、ＩＤ番号とクロック数からなる位置情報のアドレスを再生してウィンドウ生成回路１４に出力する。次いで、ウィンドウ生成回路１４は、ＢＣＡ１３に記録され、ＢＣＡ１３からＢＣＡ再生回路３１により再生された位置情報から、無反射部１０６を検出するためのウィンドウ信号を生成してアンドゲート３２の第２の入力端子に出力する。すなわち、ウィンドウ生成回路１４は、アナログ処理部２０から出力される再生信号と、ＢＣＡ再生回路３１からの位置情報に基づいて、再生信号に含まれるアドレスと、上記位置情報のアドレスとを比較して、一致したときハイレベルのウィンドウ信号を出力してウィンドウを有効とする一方、一致しないときは、ローレベルのウィンドウ信号を出力してウィンドウを無効とする。一方、カウンタ１５は、アナログ処理部２０からのリセット信号に基づいてその計数値が０にリセットされた後、再生信号からアナログ処理部２０により生成される再生クロックであるチャンネルビットクロック信号ｐｃｋを計数し、計数値のデータをラッチ１６に出力する。ここで、計数値のデータは、リセット信号でリセットされた時点からの周方向の位置情報を示す。
【００５７】
コンパレータ７からの無反射部検出信号はアンドゲート３２の第１の入力端子に入力され、アンドゲート３２は入力される２つの信号がともにハイレベルのときのみハイレベルの信号をラッチ１６に出力する。従って、アンドゲート３２は、コンパレータ７により無反射部１０６が検出されかつＢＣＡ１３からの位置情報と再生信号の位置情報が一致するとき、ハイレベル信号をラッチ１６に出力し、これに応答して、ラッチ１６は、カウンタ１５から出力される計数値のデータを、ウィンドウ生成回路１４から生成されるウィンドウの有効期間中の無反射部検出信号でラッチして正しい検出位置情報として出力する。
【００５８】
図１５は、本発明に係る第２の実施形態で用いる第２の領域検出回路２４の構成を示すブロック図であり、図１５において図１４及び図１０の第２の領域検出回路２４ａと同様のものについては同様の符号を付している。第２の実施形態に係る第２の領域検出回路２４は、データスライサ４と、２つのコンパレータ８，９と、２つのしきい値電圧発生器８ａ，９ａと、２つのカウンタ１０，１１と、正規長ピット判別回路１２とに加えて、ＢＣＡ再生回路３１と、ウィンドウ生成回路１４をさらに備えて構成されたことを特徴としている。図１５において、図１４のＢＣＡ再生回路３１及びウィンドウ生成回路１４と同様に、ＢＣＡ１３からＢＣＡ再生回路３１により再生された位置情報から、長ピット１０７を検出するためのウィンドウ信号を生成して各カウンタ１０，１１に出力し、ハイレベルのウィンドウ信号がカウンタ１０，１１に入力されているときのみ、ウィンドウを開いてその区間でのみカウンタ１０，１１を動作させ、正規長ピット判別回路１２で判別する。
【００５９】
さらに、図１４の第１の領域検出回路２３と、図１５の第２の領域検出回路２４とを用いて、正規の光ディスク１ａを判別する方法について説明する。
【００６０】
まず、光ディスク１ａに記録されたコンテンツ情報を再生する前に、ＢＣＡ１３に記録された位置情報をＢＣＡ再生回路３１を用いて読み出し、その位置情報に基づいて光学ヘッド１８（図１６参照。）をシークをさせ、第１の領域２に記録された情報を再生する。再生信号から無反射部１０６を検出する方法は、第１の実施形態と同じであるので、ここでは省略するが、位置情報に記録された位置に長ピット１０７が存在するか否かの判別も加わるために、より著作権保護の強度が増す。さらに、ＢＣＡ１３に記録された位置情報をＢＣＡ再生回路３１を用いて読み出し、その位置情報に基づいて光学ヘッド１８（図１６参照。）をシークをさせ、第２の領域３に記録された情報を再生する。そして、再生信号から長ピット１０７の正当性を判別する。この第１の領域２及び第２の領域３の各再生信号からの検出信号により、光ディスク１ａの正規性を判断して、光ディスク１ａの再生の可否を判断することができる。これにより、いわゆるＲＦコピーを防止することができ、より強固に著作権を保護することができる。
【００６１】
本実施形態において、第１の領域２の位置情報記録領域１３ａ及び第２の領域３の位置情報記録領域１３ｂに記録される位置情報は例えばアドレスを含み、具体的には、図１４及び図１５に示すように、位置情報は、ＩＤ番号などのアドレスと、セクタ先頭からのチャネルビットクロック信号ｐｃｋのクロック数とにより特定できるものである。ここで、第１の領域２の位置情報記録領域１３ａ及び第２の領域３の位置情報記録領域１３ｂに記録される位置情報は、上記のアドレスに限らず、無反射部１０６と長ピット１０７の各位置を特定できる他の種類の位置情報であってもよい。
【００６２】
以上説明したように、本実施形態によれば、所定の変調方式で変調された信号を凸凹のピットで記録した光ディスク１ａ上に、反射膜を部分的に除去した無反射部１０６を形成した第１の領域２と、所定の変調方式を満足するピットとは異なる長ピット１０７を記録した第２の領域３とを有するとともに、光ディスク１ａ上の第１の領域２の位置情報が記録された第１の領域の位置情報記録領域１３ａと、光ディスク１ａ上の第２の領域３の位置情報が記録された第２の領域の位置情報記録領域１３ｂとを、例えばＢＣＡ１３内に設け、第１の領域２に形成された無反射部１０６と、第２の領域３に形成された長ピット１０７の識別を、第１の領域の位置情報記録領域１３ａ及び第２の領域の位置情報記録領域１３ｂに記録された各位置情報に基づいて、これらの領域２，３の位置を特定することにより、より容易に、かつ高速に正規の光ディスク１ａの識別を行い、光ディスク１ａの再生の可否を判断することができる。
【００６３】
第３の実施形態．
図１６は、本発明に係る第３の実施形態で用いる光ディスク再生装置の構成を示すブロック図である。この第３の実施形態に係る光ディスク再生装置は、光学ヘッド１８と、ヘッドアンプ１９と、アナログ処理部２０と、光ディスクコントローラ２１と、サーボ制御回路２２と、第１の領域検出回路２３と、第２の領域検出回路２４と、システムコントローラ２５と、処理メモリ４０とを備えて構成される。なお、図１６において、光ディスク１は第２の実施形態に係る光ディスク１ａであってもよい。
【００６４】
図１６において、スピンドルモータ１７は、光ディスク１を所定の回転数で回転させる。光学ヘッド１８は、レーザダイオードとフォトディテクタとを含み、いわゆる光学ピックアップで構成される。光学ヘッド１８で再生される再生信号は信号増幅を行うヘッドアンプ１９を介してアナログ処理部２０に入力される。また、アナログ処理部２０は、ＡＧＣ、イコライズ、データスライス、ＰＬＬなどの機能を有し、入力されるアナログの再生信号に対してこれらの所定のアナログ処理を実行して、処理後のアナログ信号を光ディスクコントローラ２１、第１の領域検出回路２３および第２の領域検出回路２４に出力する。さらに、光ディスクコントローラ２１は、再生信号のデータを復調し、誤り訂正処理などを行う。またさらに、サーボ制御回路２２は、スピンドルモータ１７及び光学ヘッド１８を制御することにより、フォーカスやトラッキングなどのサーボ制御を行う。
【００６５】
第１の領域検出回路２３は、例えば第２の実施形態に係る図１４の回路であって、アナログ処理部２０から出力される再生信号に基づいて、反射膜が部分的に除去された無反射部１０６を有する第１の領域２を検出して検出位置情報を出力する。なお、第１の領域検出回路２３は、第１の実施形態に係る図７の第１の領域検出回路２３ａであってもよい。また、第２の領域検出回路２４は、例えば第２の実施形態に係る図１５の回路であって、アナログ処理部２０から出力される再生信号に基づいて、所定の変調方式を満足するピットとは異なり、上記変調方式を満足しない長さの長ピット１０７が形成された第２の領域３を検出して長ピット検出信号を出力する。なお、第２の領域検出回路２４は、第１の実施形態に係る図１０の第２の領域検出回路２４ａであってもよい。さらに、システムコントローラ２５は、処理メモリ４０を用いて、図１６の光ディスク再生装置の全体の動作の制御を行う制御装置である。
【００６６】
このように構成された光ディスク再生装置の動作について、図１７を参照して説明する。図１７は、図１６の光ディスク再生装置で用いる第１の領域２を検出する方法を示す図であって、光ディスク１上での周方向に対する各トラックと、第１の領域２との関係を示す拡大平面図である。本実施形態においては、無反射部１０６が形成された第１の領域２の位置情報はＢＣＡ１３に予め格納されているものとし、その内容は第１の領域２が含まれるセクタのセクタアドレスと、セクタ先頭からのデータ数（又はクロック数）とする。さらに、長ピット１０７が形成された第２の領域３の検出は、第２の実施形態に係る第２の領域検出回路２４を用いた方法と同じなので、ここでは説明を省略する。
【００６７】
図１８及び図１９は、図１６のシステムコントローラ２５によって実行される第１の領域の検出判断処理を示すフローチャートである。
【００６８】
図１８のステップＳ１において、まず、ＢＣＡ１３からデータを読み出すようにサーボ制御回路２２及び光ディスクコントローラ２１を制御し、ＢＣＡ１３から読み出された第１の領域２の位置情報を読み出して処理メモリ４０に格納する。次いで、ステップＳ２において、処理メモリ４０に格納された位置情報に基づいて、図１７に示すように、当該第１の領域２を含むセクタアドレスＩＤ（ｎ）を含む、第ｎ番目のトラックにシークするように、サーボ制御回路２２に指令した後、セクタアドレスＩＤ（ｎ）を含むトラックにシークし、そのトラックを再生する。さらに、ステップＳ３において、再生中に第１の領域２を検出したか否かが判断され、ＹＥＳとなるまでステップＳ３の処理を繰り返し、ＹＥＳとなったとき、ステップＳ４において、検出されたセクタのアドレスとセクタ先頭からのデータ数を含む検出位置情報を第１の領域検出回路２３で検出し、当該検出された検出位置情報を読み込む。次いで、ステップＳ５において、上記第１領域検出回路２３で検出された検出位置情報と、処理メモリ４０に先に格納された第１の領域２の位置情報と照合し、ステップＳ６において一致するか否かが判断される。ステップＳ６で一致しないときは（ステップＳ６でＮＯ）、再度第１の領域２を検出するために、ステップＳ２に戻り上述の処理を繰り返す。一方、ステップＳ６で一致するときは（ステップＳ６でＹＥＳ）、ステップＳ７において、図１７に示すように、同一のトラック（ｎ番目のトラック）をトレースするようにサーボ制御回路２２を制御し、ステップＳ８において同じセクタアドレスＩＤ（ｎ）を検出したか否かが判断され、検出するまでステップＳ８の処理を繰り返し、ステップＳ８で同一のセクタアドレスＩＤ（ｎ）を検出したときは、図１９のステップＳ９に進む。
【００６９】
図１９のステップＳ９において、隣接した次のトラックに光学ヘッド１８をジャンプさせるようにサーボ制御回路２２を制御し、このとき、クロック数を第１の領域検出回路２３で計数しているので、少なくともアナログ処理部２０に含まれるＰＬＬ回路はホールドさせて、ＰＬＬ回路が追従しないようにしておく。この実施形態では、図１７に示すように、ｎ＋１番目のトラックである隣接したトラックでも同様に第１の領域２が第１の領域検出回路２３で検出されるかどうかを確認する。第ｎ番目のトラックにあるセクタアドレスＩＤ（ｎ）からの上記第１の領域検出回路２３で検出された第１の領域２までのデータ数（又はクロック数）と、第ｎ番目のトラックにあるセクタアドレスＩＤ（ｎ）から隣接するトラックに存在する（上記第１の領域検出回路２３で検出された）第１の領域２までのデータ数（又はクロック数）はほぼ等しいので、第１の領域検出回路２３で検出されるデータ数はほぼ一致するはずである。両者の検出されたデータ数がほぼ等しければ、反射膜を除去することにより作成された第１の領域２であるとシステムコントローラ２５は判断する。この具体的な処理は、ステップＳ１０からステップＳ１３までの処理である。
【００７０】
次いで、ステップＳ１０において、第ｎ番目のトラックにあるセクタアドレスＩＤ（ｎ）からの第１領域２までのデータ数（又はクロック数）と、第ｎ番目のトラックにあるセクタアドレスＩＤ（ｎ）から隣接する第（ｎ＋１）番目のトラックに存在する第１領域２までのデータ数（又はクロック数）とを比較し、ステップＳ１１において実質的に一致するか否かが判断される。ここで、クロック信号に対応してデータが存在するので、データ数を計数してもよいし、クロック数を計数してもよい。また、実質的に一致するか否かの基準は、２ないし３クロックなどの数クロック（又は数個のデータ）以内であれば、これら２つのデータ数が実質的に一致すると判断する。ステップＳ１１でＹＥＳであるときは、ステップＳ１２において反射膜を除去することにより形成された第１の領域２であると判断して当該第１の領域の検出判断処理を終了する。一方、ステップＳ１１でＮＯであるときは、ステップＳ１３において第１の領域２でないと判断して当該第１の領域の検出判断処理を終了する。
【００７１】
図１８及び図１９を参照して説明した、第１の領域の検出判断処理では、第１の領域２の径方向の大きさはトラックピッチ程の大きさで作成できず、少なくとも複数のトラックにまたがって存在することを利用するものである。本実施形態では、システムコントローラ２５は、この第１の領域の検出判断処理に加えて、第２の実施形態の説明で述べたように、第２の領域検出回路２４を用いた、第２の領域の検出結果をも加えて判断することにより、当該光ディスクに記録された情報を再生することの可否を判断して、より正確に正規の光ディスクを判断することができる。
【００７２】
以上説明したように、反射膜を除去した第１の領域２をあるセクタを基準に検出し、そのセクタからのデータ数又はクロック数を隣接トラックでも第１の領域２を検出することにより、例えば再生系と記録系とを同期運転して作成されるＲＦコピーと言われる海賊版に対しても、その両者の回転精度に非常に厳しいものが要求されるので、容易に正規の光ディスクを認識することができる。
【００７３】
変形例．
以上の実施形態においては、第１の領域検出回路２３又は２３ａと、第２の領域検出回路２４又は２４ａとを備えているが、本発明はこれに限らず、いずれか一方の領域検出回路のみを備えてもよい。
【００７４】
【発明の効果】
以上詳述したように本発明によれば、所定の変調方式で変調された信号を凸凹のピットで記録した光ディスク上に、反射膜を部分的に除去した第１の領域と、所定の変調方式を満足するピットとは異なるピットを記録した第２の領域と設けることにより、海賊版の光ディスクの識別を容易にし、光ディスクに記録された情報を再生することの可否を判断するので、著作権者の権利を保護することができる。
【００７５】
また、上記光ディスクにおいて、第１の領域の位置情報を記録する第１の領域の位置情報記録領域と第２の領域の位置情報を記録する第２の領域の位置情報記録領域とをさらに備えることにより、第１の領域の位置情報及び第２の領域の位置情報とに基づいて、これらの領域を特定することができるので、これらの領域における識別を高速にかつより容易に行うことができ、実用上のメリットは大きい。
【００７６】
さらに、上記反射膜を除去した第１の領域を検出する際に、隣接トラックにおいても再度検出することにより、光ディスクに記録された情報を再生することの可否を判断するので、著作権者の権利を保護することができるとともに、海賊版に対してより強い防止策を提供することができる。
【図面の簡単な説明】
【図１】  本発明に係る第１の実施形態の光ディスク１の平面構造を示す平面図である。
【図２】  図１の光ディスク１の断面構造を示す断面図である。
【図３】  図１の光ディスク１における第１の領域２の断面構造を示す断面図である。
【図４】  図１の光ディスク１における第２の領域３の拡大図であって、長ピット１０７の平面構造を示す平面図である。
【図５】  図１の光ディスク１において無反射部１０６を形成する方法を示す断面図及びブロック図である。
【図６】  図１の光ディスク１の無反射部１０６の領域を再生したときの再生信号の信号波形（周方向の長さに対する反射光の強度に比例する）であって、（ａ）は変調度が低い場合の再生信号の信号波形の波形図であり、（ｂ）は変調度が高い場合の再生信号の信号波形の波形図であり、（ｃ）は変調度が高くかつデフォーカス状態での再生信号の信号波形の波形図である。
【図７】  本発明に係る第１の実施形態で用いる第１の領域検出回路２３ａの構成を示すブロック図である。
【図８】  図１の光ディスク１の第２の領域３において形成された長ピット１０７の平面構造を示す平面図である。
【図９】  図８の長ピット１０７の断面構造を示す図であって、（ａ）は長ピット１０７の中央部に位置する図８のＡ−Ａ’面における断面図であり、（ｂ）は長ピット１０７の端部に位置する図８のＢ−Ｂ’面における断面図である。
【図１０】  本発明に係る第１の実施形態で用いる第２の領域検出回路２４ａの構成を示すブロック図である。
【図１１】  図１０の第２の領域検出回路２４ａにおける第２の領域の検出する方法を示す図であって、（ａ）は長ピット１０７の領域を含む領域の再生信号の信号波形を示す波形図であり、（ｂ）は図１０の第１のしきい値電圧Ｖ１ｔｈを用いたときのコンパレータ８の出力信号ＣＶ１の信号波形を示す波形図であり、（ｃ）は図１０の第２のしきい値電圧Ｖ２ｔｈを用いたときのコンパレータ９の出力信号ＣＶ２の信号波形を示す波形図である。
【図１２】  各光ディスクに対して無反射部１０６の領域及び長ピット１０７の領域を再生したときの再生信号の信号波形を示す波形図の表であって、（ａ）は本発明に係る第１の実施形態である正規の光ディスク１における無反射部１０６の領域及び長ピット１０７の領域を再生したときの再生信号の信号波形を示す波形図であり、（ｂ）は第１の海賊版の光ディスクにおける無反射部１０６の領域及び長ピット１０７の領域を再生したときの再生信号の信号波形を示す波形図であり、（ｃ）は第２の海賊版の光ディスクにおける無反射部１０６の領域及び長ピット１０７の領域を再生したときの再生信号の信号波形を示す波形図である。
【図１３】  本発明に係る第２の実施形態の光ディスク１ａの平面構造を示す平面図である。
【図１４】  本発明に係る第２の実施形態で用いる第１の領域検出回路２３の構成を示すブロック図である。
【図１５】  本発明に係る第２の実施形態で用いる第２の領域検出回路２４の構成を示すブロック図である。
【図１６】  本発明に係る第３の実施形態で用いる光ディスク再生装置の構成を示すブロック図である。
【図１７】  図１６の光ディスク再生装置で用いる第１の領域２を検出する方法を示す図であって、光ディスク１上での周方向に対する各トラックと、第１の領域２との関係を示す拡大平面図である。
【図１８】  図１６のシステムコントローラ２５によって実行される第１の領域の検出判断処理の第１の部分を示すフローチャートである。
【図１９】  図１６のシステムコントローラ２５によって実行される第１の領域の検出判断処理の第２の部分を示すフローチャートである。
【符号の説明】
１，１ａ…光ディスク、
１ｈ…回転駆動孔、
２…第１の領域、
３…第２の領域、
４…データスライサ、
５…下エンベロープ検出回路、
６…レベルシフト回路、
７…コンパレータ、
８，９…コンパレータ、
８ａ，９ａ…しきい値電圧発生器、
１０，１１…カウンタ、
１２…正規長ピット判別回路、
１３…バーストカッティングエリア（ＢＣＡ）、
１３ａ…第１の領域の位置情報記録領域、
１３ｂ…第２の領域の位置情報記録領域、
１４…ウィンドウ生成回路、
１５…カウンタ、
１６…ラッチ、
１７…スピンドルモータ、
１８…光学ヘッド、
１９…ヘッドアンプ、
２０…アナログ処理部、
２１…光ディスクコントローラ、
２２…サーボ制御回路、
２３，２３ａ…第１の領域検出回路、
２４，２４ａ…第２の領域検出回路、
２５…システムコントローラ、
３１…ＢＣＡ再生回路、
３２…アンドゲート、
４０…処理メモリ、
１００…透明光ディスク基板、
１０１…反射膜、
１０２…光ディスク基板、
１０３…接着層、
１０４…ＹＡＧパルスレーザ、
１０５…集光レンズ、
１０６…無反射部、
１０７…長ピット、
１１１…リードイン領域、
１１２…データ記録領域、
１１３…リードアウト領域。
【図１】
0004312361.tif 000002
【図２】
0004312361.tif 000003
【図３】
0004312361.tif 000004
【図４】
0004312361.tif 000005
【図５】
0004312361.tif 000006
【図６】
0004312361.tif 000007
【図７】
0004312361.tif 000008
【図８】
0004312361.tif 000009
【図９】
0004312361.tif 000010
【図１０】
0004312361.tif 000011
【図１１】
0004312361.tif 000012
【図１２】
0004312361.tif 000013
【図１３】
0004312361.tif 000014
【図１４】
0004312361.tif 000015
【図１５】
0004312361.tif 000016
【図１６】
0004312361.tif 000017
【図１７】
0004312361.tif 000018
【図１８】
0004312361.tif 000019
【図１９】
0004312361.tif 000020